(57)【要約】【課題】容易に小型化できる光ピックアップを提供する。【解決手段】記録媒体５１の半径方向に移動可能な対物レンズ１を有する可動光学系と、対物レンズ１への光を発光する発光素子３５および記録媒体５１からの戻り光を受光する受光素子３９ａ，３９ｂを有する固定光学系とを有する光ピックアップにおいて、可動光学系と固定光学系との間の光路を、可動光学系から記録媒体５１の半径方向外周側に延在する光路１９と、該外周側で反射部材１８により記録媒体５１のほぼ接線方向に曲げられた光路２０とし、光路１９と記録媒体５１との距離および固定光学系内の光路４６と記録媒体５１との距離を異ならせて、固定光学系をその少なくとも一部が、記録媒体５１の接線方向において可動光学系の移動範囲と重なり、かつ記録媒体５１の垂直方向において記録媒体５１と重なるように配置する。【選択図】        図１
2004348873.tif 000002
【特許請求の範囲】
【請求項１】
ディスク状の記録媒体に集光するための対物レンズを有し、上記記録媒体の半径方向に移動可能な可動光学系と、上記対物レンズへの光を発光する発光素子および上記記録媒体からの戻り光を受光する受光素子を有する固定光学系とを有する光ピックアップにおいて、
上記可動光学系と上記固定光学系との間の光路を、上記可動光学系から上記記録媒体の半径方向外周側に延在させると共に、該外周側で反射部材により上記記録媒体のほぼ接線方向に曲げて延在させ、上記可動光学系から上記記録媒体の半径方向に延在する光路と上記記録媒体との距離および上記固定光学系内の光路と上記記録媒体との距離を異ならせて、上記固定光学系をその少なくとも一部が、上記記録媒体の接線方向において上記可動光学系の移動範囲と重なり、かつ上記記録媒体の垂直方向において該記録媒体と重なるように配置したことを特徴とする光ピックアップ。
【請求項２】
ディスク状の記録媒体に集光するための対物レンズを有し、上記記録媒体の半径方向に移動可能な可動光学系と、上記対物レンズへの光を発光する発光素子および上記記録媒体からの戻り光を受光する受光素子を有する固定光学系とを有する光ピックアップにおいて、
上記可動光学系と上記固定光学系との間の光路を、上記可動光学系から上記記録媒体の半径方向内周側に延在させると共に、該内周側で反射部材により上記記録媒体のほぼ接線方向に曲げて延在させて、上記固定光学系を、その少なくとも一部が上記記録媒体の接線方向において上記可動光学系の移動範囲と重なるように配置したことを特徴とする光ピックアップ。
【請求項３】
上記反射部材による上記可動光学系と上記固定光学系との間の光路の曲げ角度を、９０度よりも小さくしたことを特徴とする請求項１または２に記載の光ピックアップ。
【請求項４】
上記可動光学系と上記固定光学系との間の光路を、上記可動光学系と上記反射部材との間では上記記録媒体と平行とし、上記反射部材と上記固定光学系との間では上記記録媒体と非平行としたことを特徴とする請求項１，２または３に記載の光ピックアップ。
【発明の詳細な説明】
【０００１】
【発明の属する技術分野】
本発明は、ディスク状の記録媒体に対して光学的に情報の記録／再生を行う光学式情報記録再生装置に設けられる光ピックアップに関するものである。
【０００２】
【従来の技術】
この種の光学式情報記録再生装置として、記録媒体のトラックへのアクセス速度を向上させるために、光ピックアップの光学系を、記録媒体の所望の位置に光を照射する対物レンズを含む可動光学系と、発光素子および受光素子を含む固定光学系とに分離した、いわゆる分離光学系の光ピックアップを採用するものが知られている。
【０００３】
この分離光学系の光ピックアップとして、従来、図８に示すようなものが知られている。図８において、対物レンズ１０２は、記録媒体（図示せず）にほぼ垂直なフォーカス方向（Ｚ方向）と、フォーカス方向および記録媒体のトラック方向とほぼ直交するトラッキング方向（Ｘ方向）とに変位可能にキャリッジ１０３に支持されており、キャリッジ１０３に設けられた駆動手段（図示せず）によりＺ方向およびＸ方向に駆動されるようになっている。
【０００４】
キャリッジ１０３は、記録媒体の半径方向（Ｘ方向）に平行に延在する軸１０９ａ，１０９ｂに移動可能に支持されていると共に、そのＹ方向両端面にはコイル１０４ａ，１０４ｂが取り付けられている。コイル１０４ａ，１０４ｂの内側には、それらを貫通してＸ方向に延在する内ヨーク１０６ａ，１０６ｂが配置されている。内ヨーク１０６ａ，１０６ｂは、磁石１０８ａ，１０８ｂが固定された外ヨーク１０７ａ，１０７ｂに取り付けられて、コイル１０４ａ，１０４ｂに磁界を作用させる磁気回路を形成しており、この磁気回路とコイル１０４ａ，１０４ｂに流す電流との電磁作用によって、キャリッジ１０３および対物レンズ１０２を記録媒体の半径方向に駆動して、記録媒体の異なるトラックにアクセスするようになっている。
【０００５】
ここで、対物レンズ１０２、キャリッジ１０３およびコイル１０４ａ，１０４ｂを含む可動部分は可動光学系１０５を構成し、この可動光学系１０５に固定光学系１１０から記録あるいは再生用の光が導かれるようになっている。
【０００６】
固定光学系１１０は、図示しないが、記録あるいは再生用の光を出射するレーザダイオード、記録媒体からの戻り光を受光するフォトディテクタ、可動光学系１０５に向かう光と記録媒体からの戻り光とを分離するビームスプリッタ、レーザダイオードから出射される発散光を平行光に整形するレンズ等を有しており、この固定光学系１１０と可動光学系１０５との間の光路１０１は、可動光学系１０５が移動しても固定光学系１１０からの光が入射するように、可動光学系１０５の移動方向である記録媒体の半径方向に延在している。なお、可動光学系１０５のキャリッジ１０３には、光路１０１を対物レンズ１０２の方向に曲げるための反射ミラー（図示せず）が設けられている。
【０００７】
図８に示した光ピックアップによれば、レーザダイオード、フォトディテクタ、ビームスプリッタ、整形用レンズ等の光学素子が固定光学系１１０に設けられおり、その分、可動光学系１０５の質量を小さくすることができるので、可動光学系１０５の移動速度を高めることができ、アクセス速度の向上を図ることができる。
【０００８】
しかしながら、図８の光ピックアップでは、固定光学系１１０を可動光学系１０５の移動方向である記録媒体の半径方向外周側に配置しているため、可動光学系１０５の移動方向における装置全体の寸法が大きくなるという問題がある。
【０００９】
このような問題を解決し得る分離光学系の光ピックアップとして、例えば、固定光学系を可動光学系の移動方向である記録媒体の半径方向の外周側より記録媒体の接線方向に配置すると共に、固定光学系から記録媒体の接線方向に出射される光を可動光学系側に導くようにガルバノミラーを配置し、このガルバノミラーによりトラッキングを行うようにしたものも知られている（例えば、特許文献１参照）。
【００１０】
【特許文献１】
特開平６−３０９７２８号公報
【００１１】
【発明が解決しようとする課題】
特許文献１に開示の光ピックアップによると、記録媒体の接線方向において可動光学系を駆動する磁気回路と並ぶように固定光学系を配置することができるので、可動光学系の移動方向における寸法を小さくできると共に、固定光学系をより記録媒体の内周方向に近づけて配置すれば、さらに小型化が可能となる。
【００１２】
ところが、単純に固定光学系を記録媒体の内周方向に近づけて配置しようとすると、固定光学系が記録媒体と干渉するおそれがある。また、逆に干渉しないように配置しようとすると、光路を逃がすため可動光学系などが大型化し、特に記録媒体の垂直方向における寸法が大きくなる。
【００１３】
したがって、かかる点に鑑みてなされた本発明の目的は、容易に小型化できる光ピックアップを提供することにある。
【００１４】
【課題を解決するための手段】
上記目的を達成する請求項１に係る発明は、ディスク状の記録媒体に集光するための対物レンズを有し、上記記録媒体の半径方向に移動可能な可動光学系と、上記対物レンズへの光を発光する発光素子および上記記録媒体からの戻り光を受光する受光素子を有する固定光学系とを有する光ピックアップにおいて、
上記可動光学系と上記固定光学系との間の光路を、上記可動光学系から上記記録媒体の半径方向外周側に延在させると共に、該外周側で反射部材により上記記録媒体のほぼ接線方向に曲げて延在させ、上記可動光学系から上記記録媒体の半径方向に延在する光路と上記記録媒体との距離および上記固定光学系内の光路と上記記録媒体との距離を異ならせて、上記固定光学系をその少なくとも一部が、上記記録媒体の接線方向において上記可動光学系の移動範囲と重なり、かつ上記記録媒体の垂直方向において該記録媒体と重なるように配置したことを特徴とするものである。
【００１５】
請求項２に係る発明は、ディスク状の記録媒体に集光するための対物レンズを有し、上記記録媒体の半径方向に移動可能な可動光学系と、上記対物レンズへの光を発光する発光素子および上記記録媒体からの戻り光を受光する受光素子を有する固定光学系とを有する光ピックアップにおいて、
上記可動光学系と上記固定光学系との間の光路を、上記可動光学系から上記記録媒体の半径方向内周側に延在させると共に、該内周側で反射部材により上記記録媒体のほぼ接線方向に曲げて延在させて、上記固定光学系を、その少なくとも一部が上記記録媒体の接線方向において上記可動光学系の移動範囲と重なるように配置したことを特徴とするものである。
【００１６】
請求項３に係る発明は、請求項１または２に記載の光ピックアップにおいて、上記反射部材による上記可動光学系と上記固定光学系との間の光路の曲げ角度を、９０度よりも小さくしたことを特徴とするものである。
【００１７】
請求項４に係る発明は、請求項１，２または３に記載の光ピックアップにおいて、上記可動光学系と上記固定光学系との間の光路を、上記可動光学系と上記反射部材との間では上記記録媒体と平行とし、上記反射部材と上記固定光学系との間では上記記録媒体と非平行としたことを特徴とするものである。
【００１８】
【発明の実施の形態】
以下、本発明による光ピックアップの実施の形態について図面を参照して説明する。
【００１９】
（第１実施の形態）
図１〜図３は第１実施の形態を示すもので、図１は光ピックアップの全体構成を一部断面で示す平面図、図２および図３は要部断面図である。
【００２０】
図１および図３において、ホルダ２には、対物レンズ１およびフォーカスコイル３ａ，３ｂを接着すると共に、板バネ４ａ，４ｂの一端を接着する。板バネ４ａ，４ｂの他端はバネ受け５に接着し、バネ受け５はキャリッジ６に接着固定する。なお、バネ受け５は、キャリッジ６に対して記録媒体５１の外周方向であるＸ（−）方向に当て付け、対物レンズ１の光軸が記録媒体５１に対して垂直となるように調整して接着固定する。これにより、ホルダ２を板バネ４ａ，４ｂを介して対物レンズ１の光軸方向である記録媒体５１のほぼ垂直方向（Ｚ方向）に変位可能に支持する。
【００２１】
キャリッジ６には、さらに、反射ミラー７、カバー２２、トラッキングコイル８ａ，８ｂを接着固定する。フォーカスコイル３ａ，３ｂおよびトラッキングコイル８ａ，８ｂは、フレキシブル基板１４に接続して外部の電気基板に接続する。キャリッジ６は樹脂で成形すると共に、このキャリッジ６には軸受部を一体に形成して、軸受部に記録媒体５１の半径方向（Ｘ方向）に平行に延在して軸１３ａ，１３ｂを挿通し、これによりキャリッジ６を記録媒体５１と平行でそのほぼ半径方向に移動可能に支持する。このキャリッジ６と一体にＸ方向に移動する対物レンズ１、反射ミラー７、トラッキングコイル８ａ，８ｂを含む部組を可動光学系と呼ぶ。
【００２２】
トラッキングコイル８ａ，８ｂの内側には、それらを貫通してＸ方向に延在する鉄製の内ヨーク９ａ，９ｂを配置し、これら内ヨーク９ａ，９ｂの外側に厚さ０．２ｍｍ程度の銅からなるショートリング１０ａ，１０ｂ（１０ｂは図示せず）をカシメにより取り付ける。内ヨーク９ａ，９ｂの記録媒体５１側（Ｚ（＋）方向）には、内ヨーク９ａ，９ｂに接合して鉄製の外ヨーク１２ａ，１２ｂを設け、これら外ヨーク１２ａ，１２ｂの内側に磁石１１ａ，１１ｂ（１１ｂは図示せず）を接着固定して、内ヨーク９ａ，９ｂ、外ヨーク１２ａ，１２ｂおよび磁石１１ａ，１１ｂにより、トラッキングコイル８ａ，８ｂに磁界を作用させる磁気回路を形成する。なお、本実施の形態では、磁石１１ａ，１１ｂの記録媒体５１の接線方向（Ｙ方向）端面における漏れ磁界をフォーカスコイル３ａ，３ｂに作用させるようにする。
【００２３】
上記の軸１３ａ，１３ｂおよび内ヨーク９ａ，９ｂは、アルミダイカスト製のデッキベース１５に、ネジ１６ａ〜１６ｅ、プレート１７ａ〜１７ｃを用いて固定し、外ヨーク１２ａ，１２ｂは内ヨーク９ａ，９ｂを介してデッキベース１５に固定する。
【００２４】
デッキベース１５には、反射部材である三角プリズム１８を接着固定する。なお、図を明瞭とするため、デッキベース１５に三角プリズム１８を接着するための台座は図示を省略している（後述する固定光学系部分についても、同様に光学部品の固定に関わる詳細な図は省略している）。三角プリズム１８は、後述する固定光学系からの光路２０を、Ｘ方向すなわち軸１３ａ，１３ｂと平行な光路１９に反射するように配置する。なお、光路１９と光路２０とのなす角θ１は９０度より小さく設定する。
【００２５】
また、デッキベース１５には、アルミダイカスト製の光学ベース４０をネジにより固定して設ける。この光学ベース４０には、発光素子であるレーザダイオード３５、コリメータレンズ３４、反射ミラー４４、１／２波長板３３、ビームスプリッタ３１、フォトディテクタ３２、１／４波長板３６、集光レンズ３７、ビームスプリッタ３８、受光素子であるフォトディテクタ３９ａ，３９ｂを取り付ける。これらの光学部品は、レーザダイオード３５からの光を、コリメータレンズ３４、反射ミラー４４および１／２波長板３３を経てビームスプリッタ３１に入射させて、該ビームスプリッタ３１を透過する光を光路２０を経て三角プリズム１８に導き、ビームスプリッタ３１で反射される光をフォトディテクタ３２で受光し、光路２０からビームスプリッタ３１に入射する記録媒体５１からの戻り光を、該ビームスプリッタ３１で反射させて１／４波長板３６および集光レンズ３７を経てビームスプリッタ３８に入射させて、該ビームスプリッタ３８で反射される戻り光をフォトディテクタ３９ａで受光し、ビームスプリッタ３８を透過する戻り光をフォトディテクタ３９ｂで受光するように配置する。この光学ベース４０およびこれに配置された光学系を固定光学系と呼ぶ。
【００２６】
なお、コリメータレンズ３４はコリメータレンズ枠４３に保持し、このコリメータレンズ枠４３を詳細な図は省略するが光軸に沿って前後に位置調整可能に光学ベース４０に固定する。反射ミラー４４、ビームスプリッタ３１およびビームスプリッタ３８は、光学ベース４０に接着固定し、１／２波長板３３はビームスプリッタ３１に接着固定する。１／４波長板３６および集光レンズ３７は集光レンズ枠４５に保持し、この集光レンズ枠４５をコリメータレンズ枠４３と同様に光軸に沿って前後に位置調整可能に光学ベース４０に固定する。また、フォトディテクタ３２およびフォトディテクタ３９ａ，３９ｂは、所要の信号が得られるように面内で調整可能に光学ベース４０に取り付ける。
【００２７】
図２に示すように、三角プリズム１８は、記録媒体５１と非平行に角度θ２をもって配置し、これにより記録媒体５１と平行な光路１９を、記録媒体５１と非平行な角度θ３をもつ光路２０に曲げるようにする。したがって、θ３＝２×θ２となる。また、ビームスプリッタ３１は、光路２０とその入射表面とのなす角θ４を、通常の配置の９０度でなく、角度を持たして配置して、記録媒体５１とビームスプリッタ３１の表面とのなす角θ５をθ２と等しくすることで、ビームスプリッタ３１で反射されてビームスプリッタ３８に向かう固定光学系内の戻り光の光路４６（図１参照）を記録媒体５１と平行にする。
【００２８】
このように、ビームスプリッ３８に向かう戻り光の光路４６を記録媒体５１と平行にすれば、ビームスプリッタ３８、フォトディテクタ３９ａ，３９ｂを記録媒体５１と平行あるいは垂直に配置することができるので、それらの取り付け部の加工を容易にでき、光学ベース４０を安価に製作することができる。
【００２９】
次に、本実施の形態による光ピックアップの動作を説明する。
【００３０】
記録媒体５１はカートリッジ５２に入っており、カートリッジ５２ごと装置にセットされる。カートリッジ５２には、開口部５３が形成されており、この部分に可動光学系および外ヨーク１２ａ，１２ｂが位置するようになっている。
【００３１】
レーザダイオード３５から出射されたレーザ光は、コリメータレンズ３４で平行光に整形された後、反射ミラー４４で反射されて１／２波長板３３およびビームスプリッタ３１を透過して光路２０を進み、三角プリズム１８で反射されて光路１９を通って可動光学系に入射する。可動光学系に入射したレーザ光は、反射ミラー７で反射された後、対物レンズ１により集光されて記録媒体５１上にスポットを形成する。また、ビームスプリッタ３１に入射したレーザ光の一部は、該ビームスプリッタ３１で反射されてフォトディテクタ３２で受光され、その出力に基づいてレーザデイオード３５の発光量が調整される。
【００３２】
一方、記録媒体５１での反射光（戻り光）は、再び対物レンズ１を通って往路と同じ光路２０を戻り、ビームスプリッタ３１に入射し、ここで光路４６側に反射されて１／４波長板３６および集光レンズ３７を通過してビームスプリッタ３８に入射し、該ビームスプリッタ３８で反射光と透過光とに分離されて、それぞれフォトディテクタ３９ａ，３９ｂで受光され、それらの出力に基づいて公知の方法によりフォーカスエラー、トラッキングエラーおよび記録信号が検出される。
【００３３】
ここで、フォーカスエラーが検出された場合は、そのエラー信号がフォーカスコイル３ａ，３ｂに供給され、これによりフォーカスコイル３ａ，３ｂに流れる電流と、磁石１１ａ，１１ｂの記録媒体５１の接線方向（Ｙ方向）端面からの漏れ磁界との電磁作用によって、ホルダ２が媒体面と垂直な方向（Ｚ方向）に駆動されてフォーカス制御が行われる。
【００３４】
また、トラッキングエラーが検出された場合は、そのエラー信号がトラッキングコイル８ａ，８ｂに供給され、これによりトラッキングコイル８ａ，８ｂに流れる電流と、磁石１１ａ，１１ｂを含む磁気回路からの磁界との電磁作用によってキャリッジ６ごとホルダ２が記録媒体５１の半径方向に駆動されてトラッキング制御が行われる。異なるトラックにアクセスする場合も、同様にトラッキングコイル８ａ，８ｂに電流を流すことによって、キャリッジ６ごとホルダ２が記録媒体５１の半径方向に駆動されてアクセス制御が行われる。
【００３５】
本実施の形態によれば、可動光学系と固定光学系との間の光路を三角プリズム１８により曲げて、可動光学系と三角プリズム１８との間では記録媒体５１と平行で可動光学系の移動方向（Ｘ方向）に延在する光路１９とし、三角プリズム１８と固定光学系との間では、Ｙ（−）方向およびＺ（−）方向に傾斜した光路２０としたので、固定光学系の一部を可動光学系の移動範囲においてＹ（−）方向に並べて配置できると共に、固定光学系の光学部品の位置を可動光学系の反射ミラー７よりＺ（−）方向にずらして、固定光学系の一部を記録媒体５１およびそのカートリッジ５２とＺ方向に重なる位置に配置することができる。したがって、光ピックアップのＸ方向寸法を小さくでき、結果として、装置全体のＸ方向寸法も小さくできる。
【００３６】
また、光路２０を光路１９に対してＺ（−）方向に曲げることにより、可動光学系および固定光学系の光路の位置をＺ方向においてそろえる必要がなくなり、可動光学系を固定光学系に関係なく薄型で、特性の良いものにすることができる。さらに、光路２０をＺ（−）方向に曲げることで、図２に示すデッキベース１５の斜線部６１を除去して、この部分に大きな電気部品などを配置でき、これにより装置全体のＺ方向寸法を小さくすることができる。
【００３７】
また、三角プリズム１８で反射する光路１９と光路２０とのなす角θ１を９０度より小さくすることで、フォトディテクタ３２をＸ方向において三角プリズム１８よりもＸ（−）方向に突出させることなく、三角プリズム１８とほぼ同じ位置に配置できるので、その分、光ピックアップのＸ方向寸法を小さくでき、装置全体のＸ方向寸法も小さくできる。
【００３８】
（第２実施の形態）
図４および図５は第２実施の形態を示すもので、図４は光ピックアップの全体構成を一部断面で示す平面図、図５は要部断面図である。なお、本実施の形態において、第１実施の形態と同一部材には同一の参照符号を付してその説明を省略する。
【００３９】
本実施の形態では、キャリッジ６に、第１実施の形態の反射ミラー７に代えて三角プリズム７０を、その反射面をＸ（−）方向ではなく、記録媒体５１の内周方向であるＸ（＋）方向に向けて固定すると共に、それに応じて、三角プリズム１８を記録媒体５１の外周側（Ｘ（−）方向）でなく、内周側（Ｘ（＋）方向）に固定する。
【００４０】
また、レーザダイオード３５、コリメータレンズ３４、反射ミラー３３、１／２波長板３３、ビームスプリッタ３１、フォトディテクタ３２、１／４波長板３６、集光レンズ３７、ビームスプリッタ３８およびフォトディテクタ３９ａ，３９ｂを有する固定光学系も、光路２０が記録媒体５１の内周側（Ｘ（＋）方向）から三角プリズム１８に入射するように設けると共に、それに応じて、軸１３ａ，１３ｂおよび内ヨーク９ａ，９ｂをデッキベース１５に固定するネジ１６ａ〜１６ｆおよびプレート１７ａ〜１７ｄの配置や形状を第１実施の形態と異ならせる。また、本実施の形態では、固定光学系の光学部品を固定する光学ベースをデッキベース１５と一体に形成する。その他の構成および動作は、第１実施の形態とほぼ同様とする。
【００４１】
本実施の形態によれば、光路２０を記録媒体５１の内周側に設けたので、三角プリズム１８を同様に内周側に配置することができ、その分、光ピックアップのＸ方向寸法を小さくすることができ、より装置全体の小型化が可能となる。また、第１実施の形態の場合には、三角プリズム１８を記録媒体５１の外周側に設けているため、バネ受け５およびキャリッジ６に光路１９を通すための穴を形成する必要があるが、本実施の形態の場合には、三角プリズム１８を記録媒体５１の内周側に設けているので、そのような穴が不要となる。したがって、可動光学系の剛性を高めることができ、高性能な光ピックアップを実現することができる。
【００４２】
なお、本実施の形態においても、第１実施の形態と同様に、光路１９と光路２０とのなす角度θ１を９０度より小さくしているが、本実施の形態の場合には、フォトディテクタ３２が記録媒体５１の内周側に配置されるので、この角度θ１を９０度としても、装置全体の大きさに直接影響することはない。しかし、記録媒体５１の内周側には、記録媒体５１を回転させるためのスピンドルモータが配置されるので、これとの干渉を避けるためには、角度θ１を９０度より小さくすることは有効である。
【００４３】
本発明は、上記実施の形態にのみ限定されるものではなく、幾多の変形または変更が可能である。例えば、固定光学系の構成やその光学部品の配置は、種々変更可能である。また、上記実施の形態では、三角プリズム１８を記録媒体５１と非平行に配置することにより光路２０を傾斜させて、固定光学系の光路４６と可動光学系の光路１９とのＺ方向位置を変更するようにしたが、三角プリズム１８を非平行に配置するのに代えて、例えば図６に示すような平行プリズム７１を用いて、光路２０と光路１９とを記録媒体５１と平行な状態でＺ方向位置を変更して、固定光学系の光路４６と可動光学系の光路１９とのＺ方向位置を変更することもできる。このようにすれば、光路２０および光路４６を、Ｚ方向において同一位置とすることができるので、光学ベースの製作が容易になる。
【００４４】
また、三角プリズム１８に代えて、図７（ａ）に示すように平行平板からなる反射ミラー７２を用いることもできる。このようにすれば、光路１９と光路２０とのなす角度θ１が小さい場合には、Ｘ方向の寸法Ｌ１を、三角プリズムを用いた場合の寸法Ｌ２よりも小さくでき、装置をより小型化できる。なお、角度θ１が９０度に近い場合は、反射ミラー７２の厚さｔによっては、三角プリズムの方が寸法的に有利となるが、平行平板の方が安価であることからコスト的には有利となる。また、図７（ｂ）に示すように、三角プリズム１８を裏面反射で使用することもできる。このようにすれば、寸法的にさらに有利となる。また、反射部材は、上記の三角プリズムや平行平板からなる反射ミラーに限らず、例えばペンタプリズムなどを用いることもできる。
【００４５】
さらに、上記実施の形態では、対物レンズ１をキャリッジ６に対してフォーカス方向に駆動するいわゆる１軸アクチュエータとしたが、フォーカス方向およびトラッキング方向に駆動する２軸アクチュエータとすることもできる。また、第１実施の形態では、デッキベース１５と光学ベース４０とを別体に形成したが、これらは第２実施の形態と同様に一体に形成することもできる。
【００４６】
【発明の効果】
以上のように、本発明によれば、分離光学系の光ピックアップを容易に小型化でき、結果として装置全体の小型化を図ることができる。
【図面の簡単な説明】
【図１】本発明の第１実施の形態に係る光ピックアップの全体構成を一部断面で示す平面図である。
【図２】図１の要部断面図である。
【図３】同じく、図１の要部断面図である。
【図４】本発明の第２実施の形態に係る光ピックアップの全体構成を一部断面で示す平面図である。
【図５】図４の要部断面図である。
【図６】本発明の変形例を説明するための図である。
【図７】同じく、変形例を説明するための図である。
【図８】従来の技術を説明するための図である。
【符号の説明】
１  対物レンズ
２  ホルダ
３ａ，３ｂ  フォーカスコイル
４ａ，４ｂ  板バネ
５  バネ受け
６  キャリッジ
７  反射ミラー
８ａ，８ｂ  トラッキングコイル
９ａ，９ｂ  内ヨーク
１０ａ  ショートリング
１１ａ  磁石
１２ａ，１２ｂ  外ヨーク
１３ａ，１３ｂ  軸
１４  フレキシブル基板
１５  デッキベース
１６ａ〜１６ｆ  ネジ
１７ａ〜１７ｄ  プレート
１８  三角プリズム
１９  光路
２０  光路
２２  カバー
３１  ビームスプリッタ
３２  フォトディテクタ
３３  １／２波長板
３４  コリメータレンズ
３５  レーザダイオード
３６  １／４波長板
３７  集光レンズ
３８  ビームスプリッタ
３９ａ，３９ｂ  フォトディテクタ
４０  光学ベース
４３  コリメータレンズ枠
４４  反射ミラー
４５  集光レンズ枠
４６  光路
５１  記録媒体
５２  カートリッジ
５３  開口部
７０  三角プリズム
７１  平行プリズム
７２  反射ミラー
【図１】
2004348873.tif 000003
【図２】
2004348873.tif 000004
【図３】
2004348873.tif 000005
【図４】
2004348873.tif 000006
【図５】
2004348873.tif 000007
【図６】
2004348873.tif 000008
【図７】
2004348873.tif 000009
【図８】
2004348873.tif 000010